(57)【要約】  表示装置は、少なくとも一つのセルを第１表示態様又は該第１表示態様と異なる表示態様の第２表示態様で表示する表示処理部を備え、表示処理部は、第１表示態様ではセルの代表医療情報を識別可能に表示し、第２表示態様ではセルの代表医療情報の有無を識別可能に表示する。
2018181636.tif 000002
【特許請求の範囲】
【請求項１】
表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示装置であって、
少なくとも一つのセルを第１表示態様又は該第１表示態様と異なる表示態様の第２表示態様で表示する表示処理部を備え、
前記表示処理部は、
前記第１表示態様ではセルの代表医療情報を識別可能に表示し、
前記第２表示態様ではセルの代表医療情報の有無を識別可能に表示する表示装置。
【請求項２】
前記表示処理部は、
複数のセルのうち、１又は複数の行状又は列状のセルを前記第１表示態様又は前記第２表示態様で表示する請求項１に記載の表示装置。
【請求項３】
前記表示処理部は、
前記第２表示態様で表示されたセルに含まれる医療情報の情報量に応じて、前記セルを異なる態様で表示する請求項１又は請求項２に記載の表示装置。
【請求項４】
前記セル、行状のセル又は列状のセル毎に前記第１表示態様又は前記第２表示態様のいずれかで表示するかの設定操作を受け付ける設定操作受付部を備える請求項１から請求項３のいずれか一項に記載の表示装置。
【請求項５】
患者の全ての代表医療情報を前記表示画面に表示させる全体表示モードと、患者の代表医療情報の一部を前記表示画面に表示させる部分表示モードとを選択する選択操作を受け付ける選択操作受付部と、
前記選択操作に応じて、前記全体表示モード又は部分表示モードに切り替える切替表示処理部と
を備える請求項１から請求項４のいずれか一項に記載の表示装置。
【請求項６】
前記表示処理部は、
任意のセルを前記第１表示態様で表示する設定操作を受け付けた場合、設定されたセルを前記第１表示態様として拡大表示する請求項１から請求項５のいずれか一項に記載の表示装置。
【請求項７】
前記表示処理部は、
任意の代表医療情報を前記第１表示態様で表示する設定操作を受け付けた場合、設定された代表医療情報のセルを特定する少なくとも一つの区分を異なる態様で表示する請求項１から請求項６のいずれか一項に記載の表示装置。
【請求項８】
前記表示処理部は、
前記表示画面を予め区分する複数の領域のいずれか一つの領域を選択する選択操作を受け付けた場合、選択された領域に表示されていた代表医療情報を表示する請求項１から請求項７のいずれか一項に記載の表示装置。
【請求項９】
前記特定要素の一方の区分は、医療情報の複数の種別を含み、
前記複数の種別のうち所望の種別を前記第１表示態様で表示する設定操作を受け付けた場合、設定された種別のセルの表示順位を前記マトリクスの上位に設定する表示順位変更処理部を備え、
前記表示処理部は、
設定されなかった種別のセルを異なる態様で表示する請求項１から請求項８のいずれか一項に記載の表示装置。
【請求項１０】
前記表示順位変更処理部は、
前記複数の種別のうち所望の複数の種別を前記第１表示態様で表示する設定操作を受け付けた場合、設定された複数の種別の表示順位を設定する設定画面を表示する請求項９に記載の表示装置。
【請求項１１】
前記設定操作受付部又は前記選択操作受付部は、
前記表示画面上に表示されたカーソルに対して所定の一のジェスチャー操作が行われた場合、前記設定操作又は選択操作を受け付ける請求項４又は請求項５に記載の表示装置。
【請求項１２】
表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示装置であって、
１又は複数のプロセッサと、
前記プロセッサで実行されるコンピュータプログラムを記憶するメモリと
を備え、
前記プロセッサは、前記コンピュータプログラムを実行することにより、
少なくとも一つのセルを第１表示態様又は該第１表示態様と異なる表示態様の第２表示態様で表示し、
前記第１表示態様ではセルの代表医療情報を識別可能に表示し、
前記第２表示態様ではセルの代表医療情報の有無を識別可能に表示する表示装置。
【請求項１３】
請求項１から請求項１２のいずれか一項に記載の表示装置と、該表示装置に接続され、患者の医療情報を記憶する記憶部を有するサーバとを備える表示システム。
【請求項１４】
コンピュータに、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示させるためのコンピュータプログラムであって、
コンピュータに、
少なくとも一つのセルを第１表示態様又は該第１表示態様と異なる表示態様の第２表示態様で表示する処理と、
前記第１表示態様ではセルの代表医療情報を識別可能に表示する処理と、
前記第２表示態様ではセルの代表医療情報の有無を識別可能に表示する処理と
を実行させるコンピュータプログラム。
【請求項１５】
コンピュータに、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示させるためのコンピュータプログラムを記録したコンピュータでの読み取りが可能な非一時的な記録媒体であって、
前記コンピュータプログラムは、
コンピュータに、
少なくとも一つのセルを第１表示態様又は該第１表示態様と異なる表示態様の第２表示態様で表示する処理と、
前記第１表示態様ではセルの代表医療情報を識別可能に表示する処理と、
前記第２表示態様ではセルの代表医療情報の有無を識別可能に表示する処理と
を実行させる記録媒体。
【請求項１６】
表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示方法であって、
少なくとも一つのセルを第１表示態様又は該第１表示態様と異なる表示態様の第２表示態様で表示し、
前記第１表示態様ではセルの代表医療情報を識別可能に表示し、
前記第２表示態様ではセルの代表医療情報の有無を識別可能に表示する表示方法。
【発明の詳細な説明】
【技術分野】
【０００１】
本開示は、表示装置、表示システム、コンピュータプログラム、記録媒体及び表示方法に関する。
【背景技術】
【０００２】
近年、病院又は診療所などの医療機関では、医療情報の電子化及びシステム化が進みつつあり、医療機関の放射線科等の各部門での画像データ又は検査データ、検査結果を示すレポートなどの文書データ、電子カルテなどの膨大な医療情報がデータベース化された医療情報統合管理システムが実用化されている。【０００３】
このような医療情報統合管理システムは、膨大な医療情報を一元管理するサーバ、各部門で得られた医療データをサーバへ送信する情報処理装置、医師又は看護師などの医療従事者が医療情報を閲覧し、あるいは所要の操作を行うための表示装置などを備える。【０００４】
患者の医療用データに基づく画像を表示装置の表示画面に表示する場合、当該患者の画像が多いと、すべての画像を表示画面に表示することができない。そこで、操作者が医療情報の付随情報を選択することにより、選択された付随情報を有する簡易画像のみからなる一覧を表示する表示装置が開示されている（特許文献１参照）。
【先行技術文献】
【特許文献】
【０００５】
【特許文献１】特許第５７９５５５９号公報
【発明の概要】
【発明が解決しようとする課題】
【０００６】
しかし、特許文献１のような表示装置にあっては、操作者が選択しなかった付随情報を有する医療情報は非表示となってしまう。このため、表示画面に表示されている医療情報以外の医療情報を確信する手段がない場合には、一覧表示されている医療情報以外の情報の有無を判断することができない。また、非表示となっている医療情報に気づかない場合には、診断又は診察に重大な過誤が生じる可能性がある。【０００７】
本開示は、斯かる事情に鑑みてなされたものであり、医療情報の看過を防止することができる表示装置、表示システム、コンピュータプログラム、記録媒体及び表示方法を明らかにする。
【課題を解決するための手段】
【０００８】
本願は上記課題を解決する手段を複数含んでいるが、その一例を挙げるならば、表示装置は、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示装置であって、少なくとも一つのセルを第１表示態様又は該第１表示態様と異なる表示態様の第２表示態様で表示する表示処理部を備え、前記表示処理部は、前記第１表示態様ではセルの代表医療情報を識別可能に表示し、前記第２表示態様ではセルの代表医療情報の有無を識別可能に表示する。
【発明の効果】
【０００９】
本開示によれば、医療情報の看過を防止することができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】本実施の形態の表示処理部で処理する操作の一例を示す説明図である。
【図４】医療情報の一例を示す説明図である。
【図５】本実施の形態の表示処理部による部分表示モードの第１例を示す模式図である。
【図６】患者の全ての医療情報をマトリクス状に配置した一例を示す模式図である。
【図７】本実施の形態の表示処理部による全体表示モードの一例を示す模式図である。
【図８】本実施の形態の表示処理部による強調設定又は非強調設定の一例を示す模式図である。
【図９】本実施の形態の表示処理部による強調・非強調表示モードの第１例を示す模式図である。
【図１０】本実施の形態の表示処理部による強調・非強調表示モードの第２例を示す模式図である。
【図１１】本実施の形態の表示処理部による強調・非強調表示モードの第３例を示す模式図である。
【図１２】本実施の形態の表示処理部による強調設定又は非強調設定の他の例を示す模式図である。
【図１３】本実施の形態の表示処理部による強調・非強調表示モードの第４例を示す模式図である。
【図１４】本実施の形態の表示処理部による強調・非強調表示モードの第５例を示す模式図である。
【図１５】本実施の形態の表示処理部による拡大表示の設定操作の一例を示す模式図である。
【図１６】本実施の形態の表示処理部により拡大表示された様子の一例を示す模式図である。
【図１７】本実施の形態の全体表示モードでの表示画面の区分の一例を示す模式図である。
【図１８】患者の全ての医療情報をマトリクスで配置した一例を示す模式図である。
【図１９】図１８で示す医療情報を本実施の形態の部分表示モードで表示した例を示す模式図である。
【図２０】図１９で示す表示画面内の表示領域を変更した例を示す模式図である。
【図２１】図２０での設定操作により表示画面に表示される例を示す模式図である。
【図２２】本実施の形態の表示処理部による表示画面内の複数の種別を設定する一例を示す模式図である。
【図２３】図２２での設定操作により表示画面に表示される例を示す模式図である。
【図２４】本実施の形態の表示処理部による強調・非強調表示モードの第６例を示す模式図である。
【図２５】本実施の形態の表示処理部による部分表示モードの第２例を示す模式図である。
【図２６】本実施の形態の表示処理部による部分表示モードの第３例を示す模式図である。
【図２７】本実施の形態の表示処理部による部分表示モードの第４例を示す模式図である。
【図２８】本実施の形態の表示処理部による部分表示モードの第５例を示す模式図である。
【図２９】本実施の形態の表示処理部の構成の他の例を示すブロック図である。
【図３０】本実施の形態の表示装置による表示処理の一例を示すフローチャートである。
【図３１】本実施の形態の表示装置による表示処理の一例を示すフローチャートである。
【発明を実施するための形態】
【００１１】
以下、本発明の実施の形態の表示装置、該表示装置を実現するためのコンピュータプログラム、表示システム及び表示方法について説明する。図１は本実施の形態の表示システム１００の構成の一例を示すブロック図である。本実施の形態の表示システム１００は、例えば、医療情報統合管理システムであり、病院又は診療所などの医療機関で行われる診察、診断、検査の医療情報を、患者毎に俯瞰して参照可能となるように統合管理する。
【００１２】
表示システム１００は、医療情報を統合管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を、患者の医療期間を示す時間軸と、医療情報の内容を示す項目軸との２軸でマトリクス状に配置した一覧表示形式の表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者（操作者ともいう）が、医療情報の操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、操作者が、表示画面５１上のアイコン（図形、文字、数字、記号など）又は表示画面５１の所要の箇所を操作（例えば、選択操作、設定操作など）すると、入力された操作を、当該操作に対応する指令に変換して表示処理部５２へ出力する。
【００２３】
通信部５４は、サーバ２０が送信した一覧表示形式の表示データを受信する。通信部５４で受信された表示データは、記憶部５５に記憶される。
【００２４】
図２は本実施の形態の表示処理部５２の構成の一例を示すブロック図である。表示処理部５２は、強調表示処理部５２１、非強調表示処理部５２２、切替表示処理部５２３、表示順位変更処理部５２４などを備える。表示処理部５２は、ＣＰＵ、メモリ（ＲＯＭ、ＲＡＭなど）、メモリに格納されたプログラムなどで構成することができる。
【００２５】
表示処理部５２は、通信部５４を介してサーバ２０で統合管理されている医療情報を受信することにより、診察、診断、検査に必要な医療情報を、操作者毎の用途に合わせて、患者毎に俯瞰して表示する処理を行う。
【００２６】
図３は本実施の形態の表示処理部５２で処理する操作の一例を示す説明図である。図３に例示した操作は、例えば、選択操作又は設定操作に割り当てることができ、ジェスチャー操作の例を示す。ジェスチャー操作の開始は、特定のキーが押下されたこと、マウスのクリック操作、あるいは、マウスのカーソル（ポインタ）が表示画面５１の所定の領域に位置していること等によって行うことができる。
【００２７】
図３に示すように、操作Ｃ１は、カーソルを水平方向（左から右、又は右から左）に移動するジェスチャーである。操作Ｃ２は、カーソルを垂直方向（上から下、又は下から上）に移動するジェスチャーである。操作Ｃ３は、カーソルを斜め上方（左下から右上、又は右下から左上）に移動するジェスチャーである。操作Ｃ４は、カーソルを斜め下方（左上から右下、又は右上から左下）に移動するジェスチャーである。操作Ｃ５は、カーソルで円状に移動する（円を描く）ジェスチャーである。操作Ｃ６は、カーソルをＶ字状に移動するジェスチャーである。操作Ｃ７は、カーソルをＬ字状に移動するジェスチャーである。操作Ｃ８は、カーソルを水平方向に往復移動するジェスチャーである。操作Ｃ９は、カーソルを垂直方向に往復移動するジェスチャーである。操作Ｃ１０は、カーソルをコイル状に移動するジェスチャーである。これにより、操作者の操作時間の短縮化、利便性の向上などを図ることができる。なお、それぞれのジェスチャー操作に対して、表示処理部５２が行う処理を適宜設定することができる。また、設定したジェスチャー操作は、操作者の好みによって変更することができる。
【００２８】
なお、ジェスチャー操作は、図３に例示した操作に限定されるものではない。図３に例示していないが、マウスのクリック操作もジェスチャー操作の一例として含めることができる。マウスのクリック操作は、例えば、マウスオーバ（マウスのカーソルを所要に箇所に移動させて保持する操作）、左１クリック、左２クリック、左３クリック、右１クリック、右２クリック、右３クリック、ドラッグなどの操作を含めることができる。また、特定キー、例えば、シフトキー（ＳＨＩＦＴキー）、コントルールキー（ＣＴＲＬキー）、オルターキー（ＡＬＴキー）、Windowsキーなどを含むキーの押下と、ジェスチャー操作ある
いはマウスのクリック操作との同時操作の組み合わせを含めることもできる。
【００２９】
図４は医療情報の一例を示す説明図である。医療情報は、便宜上、例えば、画像、文書、検査、投薬などの種別毎に分けることができる。なお、図４に例示する種別は一例であって、これに限定されない。画像には、例えば、ＣＴ（Computed Tomography）、ＣＲ（Computed Radiology）、ＵＳ（Ultrasonography）、ＭＲＩ（Magnetic Resonance Imaging）などのデータが含まれる。また、画像には動画像も含まれる。文書には、例えば、紹介状、診断書、レポート、問診票、同意書、計画書などが含まれる。検査には、生理データとして、例えば、心電図、脳波、超音波、眼底、動脈硬化、血圧、体温、内視鏡などのデータが含まれ、検体データとして、例えば、ＣＥＡ（腫瘍マーカー）、血液、病理、尿、ＡＬＴ（アラニンアミノトランスフェラーゼ）などのデータが含まれる。投薬には、投薬情報が含まれる。なお、図４に示す医療情報（データ）は、一例であって、図４の例に限定されるものではない。なお、本明細書では、データを項目名とも称する。
【００３０】
次に、表示処理部５２の詳細について説明する。まず、部分表示モード及び全体表示モードについて説明する。
【００３１】
図５は本実施の形態の表示処理部５２による部分表示モードの第１例を示す模式図である。医療情報を特定するための二つの特定要素（例えば、医療情報の種別及び期間など）によって構成される領域に、特定要素の区分（例えば、医療情報の種別をＵＳ画像、ＭＲＩ画像、ＣＴ画像と区分し、期間を日単位で区分する）毎に複数のセルをマトリクス状に配置し、患者の異なる医療情報の代表医療情報を表示する。すなわち、代表医療情報は、例えば、マトリクス状に配置されたセル毎に一覧表示されることになる。一連の診断、検査等に関わる複数の医療情報は一群の医療情報として管理される。例えば、１回のＣＴ検査では、数百枚から数千枚の医療画像（医療情報）が取得されるが、これら数百枚から数千枚の医療画像を一群の医療情報として取り扱う。なお、一群の医療情報には、１枚の医療画像（医療情報）から成る場合もある。
【００３２】
代表医療情報は、一群の医療情報の内容を代表して表す情報であり、例えば、一つの検査で取得される１又は複数の医療情報を一群の医療情報として管理する場合、当該医療情報の中から代表として選択される情報である。代表医療情報は、元の医療情報を縮小したサムネイルとして作成される。元の医療情報が、例えば、ＵＳ画像、ＭＲＩ画像、ＣＴ画像である場合、代表医療情報は、ＵＳ画像、ＭＲＩ画像、ＣＴ画象を縮小したサムネイル（画像）である。なお、一つのセルに対して、特定される一群の医療情報が複数ある場合、それぞれの群の医療情報に対応して複数の代表医療情報を当該セルに表示してもよい。本明細書では、医療情報は、代表医療情報によって代表される一群の医療情報の内容を指す。すなわち、医療情報は、代表医療情報と区別する意味で用い、特に明示しない場合、医療情報の内容と同義である。
【００３３】
また、医療情報が文書又は検査データである場合、画像の場合と同様に、代表医療情報は、元の文書又は検査データを縮小したサムネイルとしてもよい。
【００３４】
図５に示すように、本実施の形態では、特定要素の一方を医療情報の種別とし、他方を期間として説明するが、特定要素は、医療情報の種別及び期間に限定されない。例えば、一方の特定要素を患者ＩＤとし、他方の特定要素をＣＴ、ＭＲＩなどの機器（設備）とすることもできる。また、特定要素は階層構造を持っていてもよい。例えば、図５に示すように一方の特定要素を医療情報の種別とした場合に、検査という区分の下層区分としてＣＴ、ＣＲ、ＵＳ、病理、ＭＲ等を区分することができる。
【００３５】
図５に示すように、医療情報の種別及び期間に対応させて複数のセル（例えば、矩形状の枠など）をマトリクス状に並べ、各セルに種別及び期間が対応した代表医療情報を配置して表示画面５１に表示する。部分表示モードでは、患者の全ての医療情報の一部の種別又は一部の期間についての代表医療情報６１だけが、表示画面５１に表示される。なお、本明細書では、医療情報の種別は、項目名を含むものとして説明する。
【００３６】
代表医療情報６１は、複数のサムネイルが存在する場合、そのうちの代表のサムネイルが表示される。代表医療情報６１に対して所定の操作（例えば、クリックなど）を行うことによって縮小される前の元の画像を表示させることができる。
【００３７】
図５の例では、期間は日単位で区切って表示されているが、これに限定されない。例えば、○日から△日の如く数日を単位としてもよく、月単位で区切ってもよい。また、同じ期間の長さで区切ってもよいが、例えば、１日、２日、３日〜４日、５日〜９日、１０日、…の如く異なる長さで区切ってもよい。
【００３８】
図６は患者の全ての代表医療情報をマトリクス状に配置した一例を示す模式図である。図６に示すように、患者の全期間に亘る全ての代表医療情報はマトリクス状に並べられた複数のセルに割り当てられて配置される。図６において、斜線を付した領域は、図５に示した部分表示モードで表示されない代表医療情報が配置されている。
【００３９】
図５に示すように、部分表示モードで代表医療情報を表示させた場合、各セルの大きさ（幅及び高さの少なくとも一方）を比較的大きくすることができ、代表医療情報の内容を確認することが容易になる。しかし、図６に示したように、例えば、患者の期間の全て（時間軸のすべて）が表示画面５１に収まらず、表示画面５１に表示されていない代表医療情報を見るためには、画面の横又は縦方向のスクロール操作が必要であり、操作者にとっては繁雑である。
【００４０】
切替表示処理部５２３は、全体表示モードを選択する選択操作を受け付けた場合、部分表示モードから全体表示モードへ切り替える処理を行う。部分表示モードにおいて、例えば、マウスの左クリックによって部分表示モードから全体表示モードへ切り替えるようにすることができる。これにより、簡単な操作で部分表示モードから全体表示モードへ切り替えることができる。なお、部分表示モードから全体表示モードへ切り替えための操作は、左クリックに限定されるものではない。例えば、表示画面５１内の任意の位置（例えば、代表医療情報が表示されていない１又は複数のセルを含む領域）に切り替え操作のためのボタン（アイコン）を配置してもよい。これにより、代表医療情報の表示を妨げることなく操作性を向上させることができる。また、現在の表示が、部分表示モードであるか全体表示モードであるかを識別することができる識別子（例えば、インジケータ）を表示することもできる。
【００４１】
なお、全体表示モードから部分表示モードへの切替処理の詳細は後述する。
【００４２】
図７は本実施の形態の表示処理部５２による全体表示モードの一例を示す模式図である。全体表示モードでは、患者の全期間に亘る全ての医療情報を表示画面５１に表示させることができる。全体表示モードで医療情報を表示させることにより、患者の全ての医療情報を俯瞰することが可能となり、スクロール操作などが不要となる。
【００４３】
上述の全体表示モード及び部分表示モードでは、患者の全ての医療情報を俯瞰することができるものの、各セルの大きさ（幅及び高さの少なくとも一方）が比較的小さくなる場合には、個々の医療情報（例えば、注目する所要の医療情報）の内容を確認することが難しく、注目している医療情報の内容だけを把握したい場合がある。以下、本実施の形態の強調・非強調表示モードについて説明する。
【００４４】
強調表示処理部５２１は、強調表示設定された代表医療情報のセル（表示領域）を強調して表示する（第１表示態様としての表示）。
【００４５】
非強調表示処理部５２２は、非強調表示設定された代表医療情報のセル（表示領域）を非強調して表示する（第２表示態様としての表示）。
【００４６】
すなわち、少なくとも一つのセルを第１表示態様又は当該第１表示態様と異なる表示態様の第２表示態様で表示し、第１表示態様ではセルの代表医療情報を識別可能に表示し、第２表示態様ではセルの代表医療情報の有無を識別可能に表示する。
【００４７】
具体的には、例えば、非強調設定された代表医療情報のセルを、強調設定された代表医療情報のセルよりも小さく表示することができる。また、非強調設定された代表医療情報のセルでは、医療情報の有無を少なくとも識別することができ、また、医療情報の情報量の多少も識別することもできる。
【００４８】
また、強調設定された代表医療情報のセルを明確に意識することができる程度に、非強調設定された代表医療情報のセルを小さく表示することができる。例えば、非強調設定されたセルの幅及び高さの少なくとも一方を、強調設定されたセルの幅及び高さの少なくとも一方の３分の２以下とすることができる。あるいは、非強調設定されたセルの幅及び高さの少なくとも一方の和を、強調設定されたセルの幅及び高さの少なくとも一方の和の３分の２以下とすることができる。
【００４９】
強調設定及び非強調設定の操作は、例えば、図３に例示したジェスチャー操作のいずれかを用いることができる。
【００５０】
図８は本実施の形態の表示処理部５２による強調設定又は非強調設定の一例を示す模式図である。表示画面５１には、代表医療情報が全体表示モードで表示されている。図８に示すように、全期間のうち、符号Ｔ２で示す破線内の期間に対して、例えば、矢印の如く、カーソルを水平方向（例えば、左から右）に移動するジェスチャー（図３の操作Ｃ１）を行うことにより、符号Ｔ２で示す期間を強調表示に設定することができる。同様に、全種別のうち、符号Ｓ１で示す破線内の種別に対して、例えば、矢印の如く、カーソルを垂直方向（例えば、上から下）に移動するジェスチャー（図３の操作Ｃ２）を行うことにより、符号Ｓ１で示す種別を強調表示に設定することができる。また、強調設定する場合、カーソルの移動速度に応じて強調の度合いを変更してもよい。例えば、移動時間が長いほど強調度合いを強くすることができる。さらに、非強調設定する場合には、カーソルの移動速度に応じて非強調の度合いを変更してもよい。例えば、移動時間が短いほど非強調度合いを強くすることができる。
【００５１】
この場合、強調設定されなかった、符号Ｔ１及びＴ３で示す破線内の期間は非強調表示に設定され、また、符号Ｓ２で示す破線内の種別も非強調表示に設定される。
【００５２】
図８に示すように、操作者は、例えば、代表医療情報の複数の種別のうち所要の種別を強調設定し、所要の種別以外の種別を非強調設定することができる。また、操作者は、例えば、全期間のうち所要の期間を強調設定し、所要の期間以外の期間を非強調設定することができる。
【００５３】
図９は本実施の形態の表示処理部５２による強調・非強調表示モードの第１例を示す模式図である。図９に示すように、非強調設定された種別（符号Ｓ２）及び期間（符号Ｔ１及びＴ３）の少なくとも一方のセル（代表医療情報）を、強調設定された種別（符号Ｓ１）及び期間（符号Ｔ２）の少なくとも一方のセルよりも小さく表示する。また、強調度合いが強いほど、セルの幅及び高さの少なくとも一方を大きくしてもよい。また、非強調度合いが強いほど、セルの幅及び高さの少なくとも一方を小さくしてもよい。
【００５４】
上述の構成により、注目したい代表医療情報（セル）を見やすく強調した一覧表示が可能となるとともに、強調しない代表医療情報であっても、一覧表示の中で当該代表医療情報が存在することが瞬時に確認することができる。このため、診断、診察又は検査等に必要な代表医療情報（当該代表医療情報によって代表される医療情報も含む）と不必要な代表医療情報（当該代表医療情報によって代表される医療情報も含む）とが一覧表示の中で同等の表示領域を占めることにより生じる、注目したい代表医療情報（当該代表医療情報によって代表される医療情報も含む）の特定又はアクセスに労力が要するといった事態を防止することができる。また、代表医療情報を非表示とする場合に比べて、代表医療情報（当該代表医療情報によって代表される医療情報も含む）の存在に気づかないという事態を防止し、代表医療情報（当該代表医療情報によって代表される医療情報も含む）の看過を防止することができ、結果として医療過誤の防止効果などを期待することができる。
【００５５】
強調設定されたセルの寸法、あるいは非強調設定されたセルの寸法は同一にすることができる。例えば、複数の期間を分けて設定を変更した場合、個々の期間のセルの寸法は連動して同じ寸法に設定することができる。例えば、期間が、１月、２月、３月、…となっている場合に、２月を非強調設定して２月のセルの幅を、例えば、２インチにしたとする。その後、３月を非強調設定して３月のセルの幅を、例えば、１インチにしたとすると、これに連動して２月のセルの幅も２インチから１インチに変更する。種別の場合も同様である。
【００５６】
図１０は本実施の形態の表示処理部５２による強調・非強調表示モードの第２例を示す模式図である。図１０では、図９の場合と比べて、非強調設定されたセルの寸法（幅及び高さの少なくとも一方）をさらに小さくしている。非強調設定されたセルの寸法は、例えば、全期間に対応する（時間軸の）セルの総数に対する強調設定されたセルの数の比率（割合）が大きい場合、非強調設定されたセルの幅及び高さの少なくとも一方を小さくすることができる。また、全種別に対応するセルの総数に対する強調設定されたセルの数の比率（割合）が大きい場合、非強調設定されたセルの幅及び高さの少なくとも一方を小さくすることができる。これにより、強調設定されたセルの比率が大きい場合でも、強調しない代表医療情報の存在を一覧表示の中で確実に把握することができる。
【００５７】
図８の例では、強調設定する期間及び種別を設定する場合について説明したが、これに限定されるものではなく、非強調設定する期間及び種別を設定してもよい。図８の例では、期間Ｔ２に代えて、期間Ｔ１及びＴ３を設定すればよい。また、種別Ｓ１に代えて、種別Ｓ２を設定すればよい。
【００５８】
図１１は本実施の形態の表示処理部５２による強調・非強調表示モードの第３例を示す模式図である。図１１では、非強調設定された期間及び種別を一つの非強調属性として一つのセルに纏めて表示する。図１１の例では、非強調設定された期間である金（２月１７日）から木（２月２３日）までを一つに纏めている。また、非強調設定された種別である文書のＣＴから説明・同までを一つに纏めている。なお、図１１の例では、期間及び種別の両方を一つに纏めているが、いずれか一方のみを纏める構成でもよい。これにより、強調設定されたセルが占める表示領域を広くすることができ、一層認識しやすくすることができる。
【００５９】
なお、非強調又は強調設定の単位は、一つのセル単位でもよく、１又は複数の行単位でもよく、あるいは１又は複数の列単位でもよい。行単位又は列単位に設定することにより、一度に多くの代表医療情報を纏めて強調表示又は非強調表示することができる。
【００６０】
図１２は本実施の形態の表示処理部５２による強調設定又は非強調設定の他の例を示す模式図である。表示画面５１には、代表医療情報が全体表示モードで表示されている。図１２に示すように、全期間のうち符号Ｔ２で示す破線内の期間、及び全種別のうち符号Ｓ１で示す破線内の種別それぞれに対応する代表医療情報（セル）を強調表示に設定したいとする。
【００６１】
この場合、例えば、矢印の如く、所要の複数のセルで構成される領域の左上から右下に向かってカーソルを斜め下方に（例えば、左上から右下）に移動するジェスチャー（図３の操作Ｃ４）を行うことにより、符号Ｔ２で示す期間及び符号Ｓ１で示す種別に対応するセルを強調表示に設定することができる。
【００６２】
この場合も、強調設定されなかった、符号Ｔ１及びＴ３で示す期間に対応するセルは非強調表示に設定され、また、符号Ｓ２で示す種別に対応するセルも非強調表示に設定され、図９に例示したようになる。
【００６３】
非強調表示処理部５２２は、非強調設定されたセルに含まれる医療情報の情報量（代表医療情報によって代表される医療情報の情報量）に応じて、当該代表医療情報のセル（表示領域）を異なる態様で表示する。異なる態様とは、当該セルの背景色、背景の模様、セルの枠の太さなどを含む。
【００６４】
図１３は本実施の形態の表示処理部５２による強調・非強調表示モードの第４例を示す模式図である。図１３の例では、期間が１月から１２月までとし、医療情報の種別として、ＣＴ、ＣＲ、ＭＲＩ、病理及び血圧を例示している。全期間のうち、２月、３月、５月、６月、８月、９月及び１０月が非強調設定されているとする。図１３の例では、医療情報の情報量の多少に応じて、便宜上、符号Ａ１で示す模様、符号Ａ２で示す模様、及び符号Ａ３で示す模様で区別する。符号Ａ１〜Ａ３で示す模様は、例えば、セルの背景色の濃度を表し、符号Ａ１〜Ａ３の順で濃度が薄いとする。この場合、例えば、医療情報の情報量が多いほど、セルの背景色の濃度を濃くすることができる。図１３の例では、区別する医療情報の情報量として、１つのセル内に特定される代表医療情報の数を区別するようにしている。
【００６５】
例えば、５月のＣＴの医療情報、８月のＭＲＩの医療情報が多いことが瞬時に判明する。すなわち、非強調設定されたセルに含まれる代表医療情報によって代表される医療情報の多少を瞬時に把握することができる。
【００６６】
上述の例では、非強調設定された代表医療情報の情報量に応じて、当該代表医療情報のセル（表示領域）を異なる態様で表示する構成であったが、これに限定されるものではなく、強調設定された代表医療情報の情報量に応じて、当該代表医療情報のセル（表示領域）を異なる態様で表示することもできる。強調設定、非強調設定ともに同様の書式で医療情報の情報量に対応させることにより、強調設定されて実際に表示されている代表医療情報とセルの表示態様の関係から、非強調設定された代表医療情報によって代表される医療情報の情報量がどのくらいあるのかを推測することが可能となる。なお、図１１の例のように、非強調設定された期間又は種別を一つに纏めて表示する態様の場合、纏められた箇所（セル）の情報量は、他の強調設定の属性の１区分（１セルに対応）に相当する平均値で表すような態様で表示することができる。
【００６７】
図１４は本実施の形態の表示処理部５２による強調・非強調表示モードの第５例を示す模式図である。図１４の例では、セルの枠の太さによって、医療情報の多少を表す。例えば、符号Ａ１〜Ａ３の順で枠の太さが細いとする。この場合、例えば、医療情報の情報量が多いほど、セルの枠を太くすることができる。図１４の例でも、区別する医療情報の情報量として、１つのセル内に特定される代表医療情報の数を区別するようにしている。
【００６８】
例えば、５月のＣＴの医療情報、８月のＭＲＩの医療情報が多いことが瞬時に判明する。すなわち、非強調設定されたセルに含まれる代表医療情報の情報量の多少を瞬時に把握することができる。
【００６９】
次に、強調表示の一例として、拡大表示する例について説明する。
【００７０】
強調表示処理部５２１は、任意のセルを第１表示態様で表示する設定操作を受け付けた場合、設定されたセル及び当該セル内の代表医療情報を拡大表示し、セル内の代表医療情報を把握できるようにする。
【００７１】
代表医療情報の拡大表示は、前述の強調・非強調表示モードと併用することができる。特に、非強調モードにおいて、セル又はセルの種別又は期間などの属性（特定要素の区分）が読み取りにくい場合、あるいは読み取れない場合、拡大表示することによって、容易に読み取ることができる。
【００７２】
図１５は本実施の形態の表示処理部５２による拡大表示の設定操作の一例を示す模式図である。表示画面５１には、代表医療情報が全体表示モードで表示されている。図１５に示すように、拡大表示させたい代表医療情報６１が配置されているセルに、マウスのカーソル（ポインタ）Ｍを移動して（マウスオーバ操作）、当該セルを選択し、例えば、右クリック操作を行うことにより（設定操作）、当該セル及び当該セル内の代表医療情報を第１表示態様として識別可能に拡大表示し、設定された種別又は期間に該当する医療情報が何であるかを確認することができる。マウスのカーソルＭをさらに移動させることにより、他のセル及び代表医療情報も拡大表示させることができる。なお、設定操作は、右クリックに限定されるものではなく、１アクション操作又は１ジェスチャー操作で設定できる操作であればよい。例えば、図３に例示したジェスチャー操作のいずれかを割り当てることができる。
【００７３】
図１６は本実施の形態の表示処理部５２により拡大表示された様子の一例を示す模式図である。図１６に示すように、マウスのカーソルＭは、ルーペ（虫眼鏡）形状にし、代表医療情報６１は、拡大されたセル及び代表医療情報７１に変更される。なお、代表医療情報６１、７１の内容は同じである。これにより、所望の代表医療情報の内容を容易に確認することができる。
【００７４】
また、強調表示処理部５２１は、任意の代表医療情報を第１表示態様で表示する設定操作を受け付けた場合、設定された代表医療情報のセルを特定する種別又は期間を異なる態様で表示することができる。異なる態様とは、より強調される態様であればよく、例えば、拡大表示、反転表示などとすることができる。
【００７５】
図１５に示すように、拡大表示させたい代表医療情報を第１表示態様で表示すべく設定した場合、図１６に示すように、設定された代表医療情報のセルを特定する期間（図１６の符号Ｔｍ）及び種別（図１６の符号Ｓｍ）が拡大表示される。これにより、所望の代表医療情報の種別又は期間の内容を容易に確認することができる。
【００７６】
図１６の例では、一つのセルに配置された４枚の代表医療情報が拡大表示されているが、これに限定されるものではなく、複数のセルを拡大表示することもできる。また、拡大表示させた場合、拡大表示されない他のセルをさらに小さく表示してもよい。これにより、拡大表示された代表医療情報を一層際立たせることができる。
【００７７】
次に、全体表示モードから部分表示モードへ切り替える例について説明する。
【００７８】
切替表示処理部５２３は、部分表示モードを選択する選択操作を受け付けた場合、全体表示モードから部分表示モードへ切り替える処理を行う。
【００７９】
より具体的には、患者の代表医療情報が、例えば、全体表示モードで表示され、表示画面を予め区分する複数の領域のいずれか一つの領域を選択する選択操作を受け付けた場合、切替表示処理部５２３は、選択された領域に表示されていた代表医療情報を、例えば、部分表示モードで表示する。
【００８０】
図１７は本実施の形態の全体表示モードでの表示画面５１の区分の一例を示す模式図である。図１７に示すように、表示画面５１を４つの領域（左上：Ｒ１、右上：Ｒ２、左下：Ｒ３、右下：Ｒ４）に区分したとする。
【００８１】
例えば、マウスのカーソルを右上の領域Ｒ２内に移動させて、右クリック操作の如く１アクション操作を行うと、領域Ｒ２内で表示されていた代表医療情報を、例えば、部分表示モードで表示する。この場合、部分表示モードは、図５に例示したようになる。
【００８２】
これにより、例えば、全体表示モードで表示されていた代表医療情報のうち、所要の代表医療情報の近くにカーソルを移動させて１アクション操作を行うだけで、所要の代表医療情報の内容を容易に確認することができる。なお、図１７の例で、マウスのカーソルを右上の領域Ｒ２内に移動させて、右クリック操作の如く１アクション操作を行った場合、領域Ｒ２内の全てのセルではなく、一部のセル（セル内に代表医療情報がある場合には、当該代表医療情報も含む）だけを、例えば、部分表示モードで表示することもできる。これにより、領域内のセルの数が多いときでも、表示するセルの数を一部に限定することにより、代表医療情報の内容を確認しやすくすることができる。
【００８３】
図１７の例では、表示画面５１を予め４つ領域で区分する構成であるが、区分数は４に限定されるものではなく、２、３、６、８など適宜設定することができる。また、操作者の好み、全体表示モードで表示したときのセルの総数などに応じて、操作者が適宜設定可能としてもよい。
【００８４】
前述の例では、表示画面５１全体を複数の領域に区分する構成であったが、これに限定されるものではない。例えば、任意の複数の項目（種別の一部、期間の一部）で区分することもできる。
【００８５】
また、領域の区分設定と設定した区分の選択操作とを連続して行うこともできる。例えば、第１の方法として、領域の区分となる矩形領域の対向する頂点を指定して区分設定した上で、特定のジェスチャー操作によって設定した区分を選択することができる。第２の方法として、例えば、特定の期間又は種別などの属性を適宜指定して領域の区分を設定し、特定のジェスチャー操作によって設定した区分を選択することができる。また、第３の方法として、例えば、複数の種別のうち、いくつかの種別を予めデフォルトとして決めておき、特定のセル又は期間を選択し（例えば、マウスで選択）、特定したセル又は期間を起点にセルの数又は期間の幅及び高さの少なくとも一方を選択的に指定して領域の区分を設定し、特定のジェスチャー操作によって設定した区分を選択することができる。
【００８６】
次に、強調表示の一例として、代表医療情報の種別の表示順位を設定する例について説明する。
【００８７】
表示順位変更処理部５２４は、複数の種別のうち所望の種別を第１表示態様で表示する設定操作を受け付けた場合、設定された種別のセルの表示順位をマトリクスの上位に設定する。
【００８８】
図１８は患者の全ての代表医療情報をマトリクスで配置した一例を示す模式図である。図１８の例では、便宜上、医療情報の期間を１月から６月まで月単位で区切り、医療情報の種別（項目名）を、胸部Ｘ線、腹部Ｘ線、内視鏡、超音波、ＣＴ、ＭＲＩ、血圧の７種類であるとする。図１８の例では、セルが７行×６列のマトリクス状に配置されている。
【００８９】
図１９は図１８で示す医療情報を本実施の形態の部分表示モードで表示した例を示す模式図である。図１９に示すように、便宜上、部分表示モードでは、４行×４列のセルだけが表示画面５１に表示することができるものとする。
【００９０】
操作者（医療従事者）が、患者の診断又は診察において、例えば、ＣＴに関する医療情報が重要であると判断したとする。
【００９１】
図２０は図１９で示す表示画面５１内の表示領域を変更した例を示す模式図である。図２０は、操作者が、ＣＴを表示させるべく、図１９で示す表示画面５１において、４行分上方にスクロールさせた状態を示す。すなわち、図２０では、図１９で表示されていた胸部Ｘ線（１行目）から内視鏡（３行目）が表示画面５１外となり、超音波（４行目）が１行目に表示されている。また、図２０では、図１９で表示されていなかった、ＣＴ、ＭＲＩ、血圧が２行目から４行目に表示されている。
【００９２】
図２０に示す状態で、操作者がＣＴを第１表示態様で表示する設定操作をする。設定操作は、例えば、マウスのカーソルＭをセル（ＣＴが表示されたセル）に移動して、所定のクリック操作又はジェスチャー操作を行えばよい。
【００９３】
図２１は図２０での設定操作により表示画面５１に表示される例を示す模式図である。図２１に示すように、設定されたＣＴに対応する行の各セルが、マトリクスの最上位に移動している。
【００９４】
上述のように、全ての代表医療情報の一部しか表示画面５１に表示することができないこともある。そこで、複数の種別のうち所望の種別を第１表示態様で表示する設定操作を受け付けた場合、設定された種別のセルをマトリクスの上位（例えば、マトリクスを縦方向の列及び横方向の行とすると、最上位の行又は上方の行）に移動させる。これにより、設定した種別のセルは、例えば、最上位に表示されるので、当該セル及び該セル内の代表医療情報を容易に認識することが可能となる。
【００９５】
この場合、非強調表示処理部５２２は、複数の種別のうち所望の種別を第１表示態様で表示する設定操作を受け付けた場合、設定されなかった種別のセルを異なる態様で表示することができる。異なる態様とは、設定されなかった種別を識別可能に表示することができればよく、さらに目立たないように表示することができればよい。例えば、セルの輝度を下げる、セルの背景に網掛けなどの模様を付ける、色の濃度を下げる等を含む。例えば、図２１の例では、設定されていない、胸部Ｘ線、腹部Ｘ線及び内視鏡に関するセル（胸部Ｘ線、腹部Ｘ線及び内視鏡に対応する行それぞれの各セル）は網掛け模様が付されている。
【００９６】
これにより、設定した種別のセルが逆に目立つようになり、設定した代表医療情報を容易に認識することができる。
【００９７】
また、表示順位変更処理部５２４は、複数の種別のうち所望の複数の種別を第１表示態様で表示する設定操作を受け付けた場合、設定された複数の種別の表示順位を設定する設定画面を表示することができる。
【００９８】
図２２は本実施の形態の表示処理部５２による表示画面５１内の複数の種別を設定する一例を示す模式図である。図２２の例では、まず、最初にＣＴを設定し（設定１）、次にＭＲＩを設定したとする（設定２）。なお、この場合、設定３は行われないとする。図２２に示すように、設定２においては、設定１ですでにＣＴが設定されているので、設定された種別は、ＣＴとＭＲＩの二つになる。そこで、ＣＴ（１）を設定するか、ＭＲＩ（２）を設定するか受け付ける設定画面５２を表示する。なお、かっこ（）内の数字は表示順位を示す。
【００９９】
また、最初にＣＴを設定し（設定１）、次にＭＲＩを設定し（設定２）、最後に血圧を設定したとする（設定３）。この場合、設定３においては、設定１、２ですでにＣＴ、ＭＲＩが設定されているので、設定された種別は、ＣＴ、ＭＲＩ及び血圧の三つになる。そこで、ＣＴ（１）を設定するか、ＭＲＩ（２）を設定するか、血圧（３）を設定するかを受け付ける設定画面５３を表示する。なお、設定画面５２、５３は、設定数に応じて、いずれか一方が表示される。
【０１００】
図２３は図２２での設定操作により表示画面５１に表示される例を示す模式図である。図２３の例では、ＭＲＩ、ＣＴ、血圧の順番で表示順位が設定された場合を示す。
【０１０１】
図２４は本実施の形態の表示処理部５２による強調・非強調表示モードの第６例を示す模式図である。図２４では、表示順位が設定された種別（項目名）がマトリクスの上方（上方の行）に配置され、設定されなかった種別（項目名）がマトリクスの下方（下方の行）に配置されている。また、表示順位が設定されなかった種別のセルは、設定された種別のセルよりも小さく表示されている。
【０１０２】
上述のように、簡単な操作により、得たい情報を並び替えて確認することができるので、医療従事者（操作者）が迅速に診断又は病状の確認を行うことができる。また設定した種別以外の種別は、目立たなくなるが、表示画面５１内で消えずに残り、見える状態となっているので、次の設定を容易に行うことができる。また、表示順位（優先順位）を付与する設定を行うことで、複数の種別について素早く並び替えて、必要な医療情報を得ることができる。
【０１０３】
図２５は本実施の形態の表示処理部５２による部分表示モードの第２例を示す模式図である。図５に例示した第１例では、二つの特定要素として、医療情報の種別と期間とを挙げて説明したが、特定要素はこれらに限定されない。また、二つの特定要素のうち一方または両方において、さらに異なる特定要素を入れ子にして医療情報を特定して表示するようにしてもよい。図２５に示す第２例では、二つの特定要素として、患者（複数の患者）と期間とを挙げている。図２５の例では、複数の患者として３人の患者（Ｐ０００１、Ｐ０００２、Ｐ０００３）を挙げているが、患者の数は図２５の例に限定されるものではない。図２５に示すような複数の患者は、ある医師（主治医）が担当する患者でもよく、内科や外科などの診療科、あるいは病棟における患者でもよく、ある医療機関（病院や診療所など）における患者でもよい。図２５に示す第２例によれば、複数の患者に関する医療情報を網羅的に分析・把握することができる。
【０１０４】
図２５に示すセル内の代表医療情報は、図５の例と同様である。なお、全体表示モード、強調表示モード、非強調表示モードなどは前述の例と同様であるので説明は省略する。図２５では、一方の特定要素を患者とした場合に、さらに医療情報の種別という特定要素を入れ子にして医療情報を特定して表示している。具体的には患者をＰ０００１，Ｐ０００２，Ｐ０００３等の患者ＩＤで区分し、Ｐ０００１という患者に対しては医療情報の種別をＣＴ、ＣＲ、ＵＳ、病理、ＭＲ等で区分して医療情報を特定して表示している。
【０１０５】
図２６は本実施の形態の表示処理部５２による部分表示モードの第３例を示す模式図である。図２６に示す第３例では、二つの特定要素として、医師（複数の医師）と患者（医師が担当する複数の患者）とを挙げている。図２６の例では、複数の医師として３人の医師（Ｄ０００１、Ｄ０００２、Ｄ０００３）を挙げているが、医師の数は図２６の例に限定されるものではない。また、複数の患者として１２人の患者を挙げているが、患者の数も図２６の例に限定されるものではない。図２６に示す第３例によれば、複数の医師が、どのような患者を担当しているか、かつ医師が関わる医療情報を網羅的に分析・把握することができる。
【０１０６】
図２６に示すセル内の代表医療情報は、図５の例と同様である。なお、全体表示モード、強調表示モード、非強調表示モードなどは前述の例と同様であるので説明は省略する。また、図２６に示すように一方の特定要素を医師とした場合に、さらに医療情報の種別という特定要素を入れ子にし、医療情報の種別をＣＴ、ＣＲ、ＵＳ、病理、ＭＲ等に区分し医療情報を特定して表示することができる。
【０１０７】
図２７は本実施の形態の表示処理部５２による部分表示モードの第４例を示す模式図である。図２７に示す第４例では、二つの特定要素として、病棟と期間とを挙げている。図２７の例では、複数の病棟を、Ａ１〜Ａ３、Ｂ１〜Ｂ３、Ｃ１〜Ｃ３で表している。各セル内に表示されている代表医療情報６１は、例えば、１日単位で病棟毎の医療に関する実績、成果などを評価することができる一群の情報を代表する情報とすることができる。一群の情報としては、例えば、医療行為が行われた患者数、医療行為に携わった医師や看護師などの医療従事者数、特定の症例の処置数、手術数などの経営管理又は診療管理に有用な情報とすることができる。図２７に示す第４例によれば、経営管理又は診療管理のための医療に関する情報を網羅的に分析・把握することができる。
【０１０８】
なお、全体表示モード、強調表示モード、非強調表示モードなどは前述の例と同様であるので説明は省略する。
【０１０９】
図２８は本実施の形態の表示処理部５２による部分表示モードの第５例を示す模式図である。図２８に示す第５例では、二つの特定要素として、病状・症例と医師とを挙げている。図２８の例では、病状・症例を、Ｓ１〜Ｓ９で表している。図２８に示すセル内の代表医療情報６１は、図５の例と同様であってもよい。また、図２８に示すセル内の代表医療情報６１は、複数の医師それぞれが関わる病状・症例の種類や数などであってもよい。図２８に示す第５例によれば、複数の医師が、どのような病状・症例に関わっているか、かつ医師が関わる医療情報を網羅的に分析・把握することができる。
【０１１０】
なお、全体表示モード、強調表示モード、非強調表示モードなどは前述の例と同様であるので説明は省略する。
【０１１１】
図２９は本実施の形態の表示処理部５２の構成の他の例を示すブロック図である。図２９に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、表示処理部５２は、強調表示処理部５２１、非強調表示処理部５２２、切替表示処理部５２３、表示順位変更処理部５２４で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【０１１２】
次に、本実施の形態の表示装置５０の動作について説明する。
【０１１３】
図３０及び図３１は本実施の形態の表示装置５０による表示処理の一例を示すフローチャートである。以下では、便宜上処理の主体を表示処理部５２として説明する。表示処理部５２は、患者の特定情報を取得する（Ｓ１１）。特定情報の取得は、例えば、操作者が、操作入力部５３から患者の特定情報を入力、あるいは表示画面５１に表示された患者の一覧から所要の患者を選択することにより行うことができる。
【０１１４】
表示処理部５２は、特定された患者の医療情報をサーバ２０から取得する（Ｓ１２）。取得した医療情報は記憶部５５に記憶することができる。表示処理部５２は、全体表示モードで代表医療情報を表示画面５１に表示し（Ｓ１３）、部分表示モードを選択する操作があったか否かを判定する（Ｓ１４）。
【０１１５】
部分表示モードを選択する操作がなかった場合（Ｓ１４でＮＯ）、表示処理部５２は、強調・非強調の設定操作があったか否かを判定する（Ｓ１５）。強調・非強調の設定操作があった場合（Ｓ１５でＹＥＳ）、表示処理部５２は、強調・非強調モードで代表医療情報を表示する（Ｓ１６）。強調・非強調の設定操作がなかった場合（Ｓ１５でＮＯ）、表示処理部５２は、後述のステップＳ１７の処理を行う。
【０１１６】
表示処理部５２は、任意の代表医療情報を選択する操作があったか否かを判定する（Ｓ１７）。任意のセルを設定する操作があった場合（Ｓ１７でＹＥＳ）、表示処理部５２は、設定されたセルを拡大表示し（Ｓ１８）、設定されたセルの種別（項目名を含む）及び期間を異なる態様（例えば、拡大など）で表示し（Ｓ１９）、ステップＳ１４以降の処理を続ける。任意のセルを設定する操作がなかった場合（Ｓ１７でＮＯ）、表示処理部５２は、ステップＳ１４以降の処理を続ける。
【０１１７】
部分表示モードを選択する操作があった場合（Ｓ１４でＹＥＳ）、表示処理部５２は、部分表示モードで代表医療情報を表示し（Ｓ２０）、種別（項目名を含む）の表示順位を設定する操作があったか否かを判定する（Ｓ２１）。
【０１１８】
種別の表示順位を設定する操作があった場合（Ｓ２１でＹＥＳ）、表示処理部５２は、設定された表示順位に従って種別の配置を変更し（Ｓ２２）、設定されなかった種別のセルを異なる態様（例えば、網掛け模様を付する）で表示する（Ｓ２３）。種別の表示順位を設定する操作がなかった場合（Ｓ２１でＮＯ）、表示処理部５２は、後述のステップＳ２４の処理を行う。
【０１１９】
表示処理部５２は、全体表示モードを選択する操作があったか否かを判定し（Ｓ２４）、全体表示モードを選択する操作があった場合（Ｓ２４でＹＥＳ）、ステップＳ１３の処理を行う。全体表示モードを選択する操作がなかった場合（Ｓ２４でＮＯ）、表示処理部５２は、処理を終了するか否かを判定し（Ｓ２５）、処理を終了しない場合（Ｓ２５でＮＯ）、ステップＳ２１以降の処理を続け、処理を終了する場合（Ｓ２５でＹＥＳ）、処理を終了する。
【０１２０】
本実施の形態に係る表示装置は、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示装置であって、少なくとも一つのセルを第１表示態様又は該第１表示態様と異なる表示態様の第２表示態様で表示する表示処理部を備え、前記表示処理部は、前記第１表示態様ではセルの代表医療情報を識別可能に表示し、前記第２表示態様ではセルの代表医療情報の有無を識別可能に表示する。
【０１２１】
本実施の形態に係る表示装置は、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示装置であって、１又は複数のプロセッサと、前記プロセッサで実行されるコンピュータプログラムを記憶するメモリとを備え、前記プロセッサは、前記コンピュータプログラムを実行することにより、少なくとも一つのセルを第１表示態様又は該第１表示態様と異なる表示態様の第２表示態様で表示し、前記第１表示態様ではセルの代表医療情報を識別可能に表示し、前記第２表示態様ではセルの代表医療情報の有無を識別可能に表示する。
【０１２２】
本実施の形態に係るコンピュータプログラムは、コンピュータに、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示させるためのコンピュータプログラムであって、コンピュータに、少なくとも一つのセルを第１表示態様又は該第１表示態様と異なる表示態様の第２表示態様で表示する処理と、前記第１表示態様ではセルの代表医療情報を識別可能に表示する処理と、前記第２表示態様ではセルの代表医療情報の有無を識別可能に表示する処理とを実行させる。
【０１２３】
本実施の形態に係る記録媒体は、コンピュータに、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示させるためのコンピュータプログラムを記録したコンピュータでの読み取りが可能な非一時的な記録媒体であって、前記コンピュータプログラムは、コンピュータに、少なくとも一つのセルを第１表示態様又は該第１表示態様と異なる表示態様の第２表示態様で表示する処理と、前記第１表示態様ではセルの代表医療情報を識別可能に表示する処理と、前記第２表示態様ではセルの代表医療情報の有無を識別可能に表示する処理とを実行させる。
【０１２４】
本実施の形態に係る表示方法は、表示画面上で医療情報を特定するための二つの特定要素によって構成される領域に、前記特定要素の区分毎に複数のセルを配置し、１又は複数の患者の異なる一群の医療情報を表す代表医療情報を前記表示画面上でマトリクス状に表示する表示方法であって、少なくとも一つのセルを第１表示態様又は該第１表示態様と異なる表示態様の第２表示態様で表示し、前記第１表示態様ではセルの代表医療情報を識別可能に表示し、前記第２表示態様ではセルの代表医療情報の有無を識別可能に表示する。
【０１２５】
本実施の形態の表示装置、コンピュータプログラム、記録媒体及び表示方法は、少なくとも一つのセルを第１表示態様又は当該第１表示態様と異なる表示態様の第２表示態様で表示し、第１表示態様ではセルの代表医療情報を識別可能に表示し、第２表示態様ではセルの代表医療情報の有無を識別可能に表示する。
【０１２６】
代表医療情報は、例えば、一つの検査で取得される１又は複数の医療情報を一つの情報として管理する場合、当該医療情報の中から代表として選択される１又は複数の医療情報である。代表医療情報は、元の医療情報を縮小したサムネイルとして作成される。
【０１２７】
第１表示態様は、例えば、強調表示（強調表示設定された態様）とすることができ、第２表示態様は、非強調表示（非強調表示設定された態様）とすることができる。また、表示態様が異なるとは、例えば、第２表示態様のセルを、第１表示態様のセルよりも小さく表示することが含まれる。
【０１２８】
医療情報を特定するための二つの特定要素によって構成される領域に、特定要素の区分（例えば、医療情報の種別及び期間など）毎に複数のセルをマトリクス状に配置し、患者の異なる医療情報の代表医療情報を表示する。すなわち、代表医療情報は、例えば、マトリクス状に配置されたセル毎に一覧表示されることになる。操作者（医療従事者）は、例えば、医療情報の複数の種別のうち所要の種別を強調設定し、所要の種別以外の種別を非強調設定することができる。また、操作者は、例えば、所要の期間を強調設定し、所要の期間以外の期間を非強調設定することができる。非強調設定された種別及び／又は期間のセルを強調設定されたセルよりも小さく表示する。なお、所要の代表医療情報のセルを強調設定し、他のセルを非強調設定することもできる。
【０１２９】
上述の構成により、注目したい代表医療情報（セル）を見やすく強調した一覧表示が可能となるとともに、強調しない代表医療情報であっても、一覧表示の中で当該代表医療情報が存在することが瞬時に確認することができる。このため、診断又は診察に必要な代表医療情報（又は当該代表医療情報によって代表される医療情報）と不必要な代表医療情報（又は当該代表医療情報によって代表される医療情報）とが一覧表示の中で同等の表示領域を占めることにより生じる、注目したい代表医療情報（又は当該代表医療情報によって代表される医療情報）の特定又はアクセスに労力が要するといった事態を防止することができる。また、非表示とする場合に比べて、代表医療情報（又は当該代表医療情報によって代表される医療情報）の存在に気づかないという事態を防止し、医療情報の看過を防止することができる。
【０１３０】
本実施の形態に係る表示装置においては、前記表示処理部は、複数のセルのうち、１又は複数の行状又は列状のセルを前記第１表示態様又は前記第２表示態様で表示する。
【０１３１】
本実施の形態に係る表示装置は、一つのセル単位だけでなく、１又は複数の行単位、あるいは１又は複数の列単位のセル毎に第１表示態様又は第２表示態様で表示することができるので、一度に多くの代表医療情報を纏めて強調表示又は非強調表示することができる。
【０１３２】
本実施の形態に係る表示装置においては、前記表示処理部は、前記第２表示態様で表示されたセルに含まれる医療情報の情報量に応じて、前記セルを異なる態様で表示する。
【０１３３】
本実施の形態の表示装置は、第２表示態様で表示された（例えば、非強調設定された）セルに含まれる医療情報の情報量に応じて、当該セルを異なる態様で表示する。異なる態様とは、当該セルの背景色、背景の模様、セルの枠の太さなどを含む。例えば、医療情報が多いほど、セルの背景の色の濃度を濃くする、あるいはセルの枠を太くすることができる。これにより、非強調設定された医療情報（又は代表医療情報）の多少を瞬時に把握することができる。
【０１３４】
本実施の形態に係る表示装置は、前記セル、行状のセル又は列状のセル毎に前記第１表示態様又は前記第２表示態様のいずれかで表示するかの設定操作を受け付ける設定操作受付部を備える。
【０１３５】
本実施の形態の表示装置は、セル、行状のセル又は列状のセル毎に第１表示態様又は第２表示態様のいずれかで表示するかの設定操作を受け付ける。
【０１３６】
上述の構成により、二つの特定要素が、例えば、医療情報の種別及び期間である場合、医療情報の複数の種別のうち所要の種別を強調設定し、所要の種別以外の種別を非強調設定することができる。また、所要の期間を強調設定し、所要の期間以外の期間を非強調設定することができる。
【０１３７】
本実施の形態に係る表示装置は、患者の全ての代表医療情報を前記表示画面に表示させる全体表示モードと、患者の代表医療情報の一部を前記表示画面に表示させる部分表示モードとを選択する選択操作を受け付ける選択操作受付部と、前記選択操作に応じて、前記全体表示モード又は部分表示モードに切り替える切替表示処理部とを備える。
【０１３８】
本実施の形態の表示装置は、患者の全ての代表医療情報を表示画面に表示させる全体表示モードと、患者の代表医療情報の一部を表示画面に表示させる部分表示モードとを選択する選択操作を受け付ける。選択操作は、１アクションで済むような操作とすることができ、例えば、マウスの左クリックによって部分表示モードから全体表示モードへ切り替え、右クリックによって全体表示モードから部分表示モードへ切り替えるようにすることができる。そして、選択操作に応じて、全体表示モード又は部分表示モードに切り替える。
【０１３９】
部分表示モードで代表医療情報を表示させた場合、各セルの大きさ（幅及び高さの少なくとも一方）を比較的大きくすることができ、代表医療情報を確認することが容易になるものの、例えば、患者の期間の全て（時間軸のすべて）が表示画面に収まらず、表示画面に表示されていない代表医療情報を見るためには、画面の横又は縦方向のスクロール操作が必要であり、操作者にとって繁雑である。そこで、部分表示モードから全体表示モードへ切り替える操作を行うことにより、簡単な操作で全体表示モードへ切り替えることができる。
【０１４０】
本実施の形態に係る表示装置においては、前記表示処理部は、任意のセルを前記第１表示態様で表示する設定操作を受け付けた場合、設定されたセルを前記第１表示態様として拡大表示する。
【０１４１】
本実施の形態の表示装置は、任意のセルを第１表示態様で表示する設定操作を受け付けた場合、設定されたセルを第１表示態様として拡大表示する。設定操作は、１アクション操作又は１ジェスチャー操作などを適宜割り当てることができる。例えば、任意のセルにマウスのカーソルを移動し（マウスオーバ操作）、右クリック操作を行うことにより、当該セル及び当該セル内の代表医療情報を拡大表示することができる。これにより、所望の代表医療情報の内容を容易に確認することができる。
【０１４２】
本実施の形態に係る表示装置において、前記表示処理部は、任意の代表医療情報を前記第１表示態様で表示する設定操作を受け付けた場合、設定された代表医療情報のセルを特定する少なくとも一つの区分を異なる態様で表示する。
【０１４３】
本実施の形態の表示装置は、任意の代表医療情報を第１表示態様で表示する設定操作を受け付けた場合、設定された代表医療情報のセルを特定する少なくとも一つの区分（例えば、医療情報の種別又は期間など）を異なる態様で表示する。異なる態様とは、より強調される態様であればよく、例えば、拡大表示、反転表示などとすることができる。これにより、所望の代表医療情報のセルを特定する区分（種別又は期間など）の内容を容易に確認することができる。
【０１４４】
本実施の形態に係る表示装置においては、前記表示処理部は、前記表示画面を予め区分する複数の領域のいずれか一つの領域を選択する選択操作を受け付けた場合、選択された領域に表示されていた代表医療情報を表示する。
【０１４５】
本実施の形態の表示装置は、表示画面を予め区分する複数の領域のいずれか一つの領域を選択する選択操作を受け付けた場合、選択された領域に表示されていた代表医療情報を表示する。
【０１４６】
例えば、表示画面を４つの領域（左上：Ｒ１、右上：Ｒ２、左下：Ｒ３、右下：Ｒ４）に区分したとする。例えば、マウスのカーソルを右上の領域Ｒ２内に移動させて、右クリック操作の如く１アクション操作を行うと、領域Ｒ２内で表示されていた代表医療情報を表示する（例えば、部分表示モードで表示する）。これにより、全体表示モードで表示されていた代表医療情報のうち、所要の代表医療情報の近くにカーソルを移動させて１アクション操作を行うだけで、所要の代表医療情報の内容を容易に確認することができる。
【０１４７】
本実施の形態に係る表示装置は、前記特定要素の一方の区分は、医療情報の複数の種別を含み、前記複数の種別のうち所望の種別を前記第１表示態様で表示する設定操作を受け付けた場合、設定された種別のセルの表示順位を前記マトリクスの上位に設定する表示順位変更処理部を備え、前記表示処理部は、設定されなかった種別のセルを異なる態様で表示する。
【０１４８】
本実施の形態の表示装置は、複数の種別のうち所望の種別を第１表示態様で表示する設定操作を受け付けた場合、設定された種別のセルの表示順位をマトリクスの上位に設定する。また、設定されなかった種別のセルを異なる態様で表示する。
【０１４９】
例えば、部分表示モードでは、全ての代表医療情報の一部しか表示画面に表示することができない。そこで、複数の種別のうち所望の種別を第１表示態様で表示する設定操作を受け付けた場合、設定された種別のセルをマトリクスの上位（例えば、マトリクスを縦方向の列及び横方向の行とすると、最上位の行又は上方の行）に移動させる。これにより、設定した種別のセルは、例えば、最上位に表示されるので、容易に認識することが可能となる。
【０１５０】
また、複数の種別のうち所望の種別を第１表示態様で表示する設定操作を受け付けた場合、設定されなかった種別のセルを異なる態様で表示する。異なる態様とは、目立たないように表示することができればよく、例えば、セルの輝度を下げる、セルの背景に網掛けなどの模様を付ける、色の濃度を下げる等を含む。これにより、設定した種別のセルが逆に目立つようになり、容易に認識することができる。
【０１５１】
本実施の形態に係る表示装置においては、前記表示順位変更処理部は、前記複数の種別のうち所望の複数の種別を前記第１表示態様で表示する設定操作を受け付けた場合、設定された複数の種別の表示順位を設定する設定画面を表示する。
【０１５２】
本実施の形態の表示装置は、複数の種別のうち所望の複数の種別を第１表示態様で表示する設定操作を受け付けた場合、設定された複数の種別の表示順位を設定する設定画面を表示する。これにより、複数の種別それぞれのセルの表示順位を容易に設定することができる。
【０１５３】
本実施の形態に係る表示装置においては、前記設定操作受付部又は前記選択操作受付部は、前記表示画面上に表示されたカーソルに対して所定の一のジェスチャー操作が行われた場合、前記設定操作又は選択操作を受け付ける。
【０１５４】
本実施の形態の表示装置は、表示画面上に表示されたカーソルに対して所定の一のジェスチャー操作が行われた場合、設定操作又は選択操作を受け付ける。ジェスチャー操作は、例えば、カーソルの水平方向の移動、垂直方向の移動、斜め方向の移動など比較的簡単に操作することができる動作を割り当てることができる。これにより、操作者の操作時間の短縮化、利便性の向上などを図ることができる。
【０１５５】
本実施の形態に係る表示システムは、本実施の形態に係る表示装置と、該表示装置に接続され、患者の医療情報を記憶する記憶部を有するサーバとを備える。
【０１５６】
本実施の形態の表示システムは、本実施の形態の表示装置と、表示装置に接続され、患者の医療情報を記憶する記憶部を有するサーバとを備える。これにより、患者の医療情報を一元管理することができる。
【０１５７】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【符号の説明】
【０１５８】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  強調表示処理部
５２２  非強調表示処理部
５２３  切替表示処理部
５２４  表示順位変更処理部
５２６  ＣＰＵ
５２７  ＲＯＭ
５２８  ＲＡＭ
５２９  記録媒体読取部
【図１】
2018181636.tif 000003
【図２】
2018181636.tif 000004
【図３】
2018181636.tif 000005
【図４】
2018181636.tif 000006
【図５】
2018181636.tif 000007
【図６】
2018181636.tif 000008
【図７】
2018181636.tif 000009
【図８】
2018181636.tif 000010
【図９】
2018181636.tif 000011
【図１０】
2018181636.tif 000012
【図１１】
2018181636.tif 000013
【図１２】
2018181636.tif 000014
【図１３】
2018181636.tif 000015
【図１４】
2018181636.tif 000016
【図１５】
2018181636.tif 000017
【図１６】
2018181636.tif 000018
【図１７】
2018181636.tif 000019
【図１８】
2018181636.tif 000020
【図１９】
2018181636.tif 000021
【図２０】
2018181636.tif 000022
【図２１】
2018181636.tif 000023
【図２２】
2018181636.tif 000024
【図２３】
2018181636.tif 000025
【図２４】
2018181636.tif 000026
【図２５】
2018181636.tif 000027
【図２６】
2018181636.tif 000028
【図２７】
2018181636.tif 000029
【図２８】
2018181636.tif 000030
【図２９】
2018181636.tif 000031
【図３０】
2018181636.tif 000032
【図３１】
2018181636.tif 000033
【国際調査報告】
2018181636.tif 000034
2018181636.tif 000035